(57)【要約】  十分に検査できるコア（１２）を有する円形スリング（１０）。円形スリングは、透明である管状カバー（１４）の中に収容された、合成の、非金属コアヤーン（１２）を含む。カバー（１４）が透明なので、荷重支持コア繊維は、使用の前、間、および後に、全体に、頻繁に、および直接、見ることができる。【選択図】図２
2008543698.tif 000002
【特許請求の範囲】
【請求項１】
合成非金属繊維の複数のエンドレスループからなる荷重支持コアと、
コアを収容し、且つ、ほぼコア全体の状態を見ることができる透明材料で形成された管状カバーと、を含む、
ことを特徴とする円形スリング。
【請求項２】
カバーが、コアの不断の検査を可能にする材料で形成される、請求項１に記載の円形スリング。
【請求項３】
カバーが、透き通った材料で形成される、請求項２に記載の円形スリング。
【請求項４】
カバーが、網で形成される、請求項３に記載の円形スリング。
【請求項５】
カバーが、粗いメッシュに織られた繊維で形成され、それによってカバーを通してほぼコア全体を見ることができる、請求項２に記載の円形スリング。
【請求項６】
コア繊維が蛍光性であり、カバーが、紫外光に曝されたとき、蛍光を透過するように特徴付けられる材料で形成される、請求項１に記載の円形スリング。
【請求項７】
コア繊維は、ナイロン、ポリエステル、ポリエチレン、ポリプロピレン、あるいはこれらの組み合わせで形成される、請求項１に記載の円形スリング。
【発明の詳細な説明】
【技術分野】
【０００１】
本発明は、一般的に合成円形スリングに関する。
【背景技術】
【０００２】
産業スリングは、重い荷物を吊り上げ、且つ移動する際に重要なツールである。吊り上げスリングは、保護カバーに包囲された、合金鋼チェーン、ワイヤロープ、金属メッシュ、合成繊維ロープ、合成ウェビング、および合成繊維ヤーンで製造される。スリングは、また、単一およびマルチレッグ拘束スリング、両端アイ型スリング、および円形スリングとして知られているエンドレスループスリングを含む、様々な形態で入手できる。特定の仕事に用いられるスリングのタイプは、荷物の重量および性質、環境の温度および化学物質含有量を含む、いくつかの要因に依存する。
【０００３】
鋼スリングは、高温に耐性があり、多くの化学物質に不活性であるが、重く且つ堅く、荷物の外面を損傷しやすい。合成スリングは、比較できる鋼スリングの温度および重量支持限度より低い温度および重量支持限度を有するが、それらは、代わりに、適当な用途において高い可撓性と軽量の選択性を提供する。可撓性繊維は、荷物の輪郭をしっかりと把持し、荷物の外部を損傷させにくい。合成材料は、色分けして不適当な使用の可能性を減じることができ、且つ腐食を受けにくい。合成スリングは、グリースを要求せず、従って、それらを取り扱うために手袋を必要としない。
【０００４】
合成円形スリングは、合成スリーブあるいはカバーの中に収容された合成ヤーンの多数のエンドレスループで形成されたコアを有する。内側コアヤーンは、荷物を吊り上げるための強度を提供し、カバーは、コアを保護し、且つ荷物に接触するようになる。円形スリングの重量支持点は、例えば、吊り上げ点がスリングのアイに固定されているロープスリングと比較して、各使用で変化する。
【０００５】
しかしながら、これらのコア繊維は、摩耗あるいは尖った縁部から損傷を受けやすく、且つ熱、腐食性化学物質、あるいは他の環境汚染物質への暴露からの劣化を受けやすい。コアヤーンは、同じ摩耗点が、吊り上げのために用いられる装置、例えばクレーンのフックと接触したままにさせておくように、スリングが使用間で回転されないとき、損傷することがある。更に、製造欠陥、欠陥コアヤーン、あるいは既存のスリングで検査することができない隠れたコアヤーン間の摩擦の結果、機能不全が起こることがある。これらの理由のために、知覚できる損傷および欠陥を検出するために円形スリングの頻繁且つ十分な検査が重要である。
【発明を実施するための最良の形態】
【０００６】
荷重支持コア１２は、合成繊維で形成される。好ましくは、コア１２は、合成の、非金属材料の複数のエンドレスループからなる。例示として、繊維は、ナイロン、ポリエステル、ポリエチレン、あるいはポリプロピレン、若しくはこれらの組み合わせで形成されるのがよい。例えば、繊維は、ＳＰＥＣＴＲＡの下にハネウェル  インターナショナル社によって販売されている高密度ポリエチレンポリマーで形成されるのがよい。変形例として、荷物吊り上げコアヤーンは、ブランド名ＤＡＣＲＯＮ（登録商標）の下にデュポン社によって販売されている合成ポリ（エチレンテレフタレート）繊維、あるいはブランド名ＫＥＶＬＡＲ（登録商標）の下でデュポン社によって販売されているポリ（ｐ−フェニレンテレフタルアミド）のような合成アラミドポリマー材料、日本の帝人株式会社によって販売されているＴＥＣＨＮＯＲＡのようなパラ系アラミド材料からなってもよい。更に、コア繊維は、これらの組み合わせからなってもよい。
【０００７】
コアヤーン１２を収容する管状カバー１４は、一般的な能力が内側ヤーンを保護し且つ摩耗抵抗表面をスリングに提供するように選択される。カバー１４を製造するための技術は、カバー１４を製造する材料に依存する。カバー１４は、シームレスチューブに織られ、あるいは押出し成形されるのがよい。変形例では、カバー１４は、ある適当な手段、例えば、縫う、縫い合わせる、綴じる、接着する、ホットメルト接着などによって材料の細長いストリップの長い縁を接近させることによって形成されてもよい。
【０００８】
カバー１４を形成するための材料は、好ましくは、実質的にコア全体の状態を見ることができる、透明な材料である。ここで用いられるように、「透明」は、コア繊維を視覚的に検査しうるようにするいかなる状態をも意味する。かくして、カバー１４に適用されるごとき「透明」は、透き通った、あるいは透明である糸あるいは繊維で形成された織物を含むので、どんなにきつく織られても、あるいは組み込まれても、コアヤーン１２は、図２に示すように、カバー１４を通して見ることができる。
【０００９】
更に、「透明」は、多孔性でありあるいは緩く織られているので、コア繊維の状態を、織物の空隙を通して見ることができる、他の不透明な材料あるいは織物を包含する。更に、「透明」は、紫外光に曝されたとき、蛍光材料をカバーを通して見ることができるようにする状態を含む。
【００１０】
カバー１４の１つの好ましい材料は、バイオクイッププロダクツ社（ランチョ  ドミンゲス、カリフォルニア州）によって「ｎｏ−ｔｈｒｉｐｓ」防虫スクリーンとして販売されているような、防虫スクリーンに用いられるタイプの網である。この網材料は、高引張り強さモノフィラメントで製造される。それは、ＵＶ抵抗性且つＵＶ安定化であり、軽量である。メッシュサイズ８１×８１は、０．００５９×０．００５９の孔開口サイズ、０．１５ｍｍの糸サイズ、６６％の光透過率、および０．２１６ｌｂｓ．／ｓｑ．ｙｄ（０．１１７ｋｇ／ｍ2）の重量を有する。
【００１１】
円形スリング１０の直径および円周は、目的とする使用に依存して変化する。円形スリング１０は、また、ＡＳＭＥ基準によって現在要求されているような、製造者、コードあるいはストック番号、耐荷重、および、コアおよびカバー材料を示すラベル（図示せず）を含むのがよい。
【００１２】
本発明の円形スリング１０は、合成円形スリングで今まで利用できなかった利点を提供することが、今、理解されるであろう。透明カバー１４は、それがどのような形態であっても、実質的にコア１２全体を視覚的に検査できるようにする。好ましい実施形態では、カバー１４が、透き通ったあるいは半透明の織物で形成され、カバーを開き、めくり、さもなければ操作することなしに、コア１２の全体の長さおよび円周を、目に見えるようにすることができる。更に、コア１２は、各使用の前、間、および後のいつでも見ることができる。このようにして、スリング１０を、その安全な使用を危険にさらすいかなる変化あるいは損傷を示すときすぐに、使用から取り除くことができる。
【００１３】
添付した特許請求の範囲に定められたような本発明の精神および範囲から逸脱することなしに、ここに記載された様々な部品および要素の組み合わせおよび配置に変更を行うことができる。
【図面の簡単な説明】
【００１４】
【図１】本発明により製造された円形スリングの平面図である。
【図２】図１の円形スリングの断片的な拡大図である。
【図１】
2008543698.tif 000003
【図２】
2008543698.tif 000004
【国際調査報告】
2008543698.tif 000005
2008543698.tif 000006
2008543698.tif 000007